(57)【要約】【課題】台船を用いることなく、水域上に架設される橋梁の橋脚の周囲に作業足場を構築する足場構築工法を提供することを目的とする。【解決手段】橋梁の一側の陸地から目的の橋脚１に向かう搬入路８を橋梁に吊設形成し、この搬入路８に連設させて作業足場４を橋梁に吊設形成すると共に、この作業足場４を形成する際に、複数の梁部材11と、この梁部材11が水平回動自在且つ着脱自在に連結される梁連結部材12と、梁部材11と梁連結部材12との連結回動軸となる連結保持軸13を備え、梁部材11の軸挿通孔14と、梁連結部材12の軸挿通孔15とを連通状態にし、この軸挿通連通孔に連結保持軸13を挿入配設して組み立てる折り畳み分解自在な足場形成部２を用いる。【選択図】図１
2019143431.tif 000002
【特許請求の範囲】
【請求項１】
水域上に架設される橋梁の橋脚の周囲に作業足場を構築する足場構築工法において、前記橋梁の一側の陸地若しくは前記陸地に設けられる搬入部から前記橋脚に向かう搬入路を前記橋梁に吊設形成し、この搬入路に連設させて前記作業足場を前記橋梁に吊設形成し、この作業足場は、複数の折り畳み分解式足場形成枠体を連設して形成する構成とされ、この折り畳み分解式足場形成枠体は、複数の梁部材、この梁部材の端部が水平回動自在且つ着脱自在に連結される梁連結部材及び前記梁部材の回動軸となると共にこの梁部材と前記梁連結部材との連結を保持する連結保持軸を備え、前記梁部材の端部に設けられている軸挿通孔と、前記梁連結部材に設けられている軸挿通孔とを連通状態にして軸挿通連通孔を形成し、この軸挿通連通孔に前記連結保持軸を挿入配設することで組み立て形成することができ、この組み立て形成された状態で前記軸挿通連通孔に挿通配設されている前記連結保持軸を抜き取ることで前記梁連結部材から前記梁部材を分離して撤去することができるように構成されていることを特徴とする足場構築工法。
【請求項２】
前記搬入路は、前記橋梁の橋桁に吊設することを特徴とする請求項１記載の足場構築工法。
【請求項３】
前記搬入路は、複数の前記折り畳み分解式足場形成枠体を連設して形成することを特徴とする請求項１，２のいずれか１項に記載の足場構築工法。
【請求項４】
前記搬入路の端部に、前記梁部材と前記梁連結部材と前記連結保持軸により折り畳み状態にした折り畳み分解式足場形成枠体を組み付け形成し、この折り畳み状態で組み付け形成した折り畳み分解式足場形成枠体を水平回動操作して展開状態にし、この展開状態の折り畳み分解式足場形成枠体に足場板を敷設して足場形成部を形成すると共に、前記折り畳み分解式足場形成枠体に更に前記梁部材と前記梁連結部材と前記連結保持軸により折り畳み状態にした折り畳み分解式足場形成枠体を組み付け形成し、この折り畳み状態で組み付け形成した折り畳み分解式足場形成枠体を水平回動操作して展開状態にし、この展開状態の折り畳み分解式足場形成枠体に足場板を敷設して足場形成部を形成して、前記足場形成部で形成される足場形成域を順次拡張形成して前記作業足場を形成することを特徴とする請求項１〜３のいずれか１項に記載の足場構築工法。
【請求項５】
前記折り畳み分解式足場形成枠体に足場板を敷設して形成した足場形成部に、更に前記梁部材と前記梁連結部材と前記連結保持軸により折り畳み状態にした折り畳み分解式足場形成枠体を組み付け形成し、この折り畳み状態で組み付け形成した折り畳み分解式足場形成枠体を水平回動操作して展開状態にし、この展開状態の折り畳み分解式足場形成枠体に足場板を敷設して足場形成部を形成して、前記足場形成部で形成される足場形成域を順次拡張形成して前記搬入路を形成することを特徴とする請求項１〜４のいずれか１項に記載の足場構築工法。
【発明の詳細な説明】
【技術分野】
【０００１】
本発明は、水域上に架設される橋梁の橋脚の周囲に吊り足場を用いて作業足場を構築する足場構築工法に関するものである。
【背景技術】
【０００２】
河川、海、湖等の水域上に架設される橋梁の橋脚を補修・補強工事を行うためには、この橋脚の周囲に作業用のドライエリアを形成する必要があり、従来、このドライエリアを形成する工法として、仮締切り工法が知られている。
【０００３】
この仮締切り工法は、橋脚の周囲に鋼板等で形成される仮締切り構造体を設置して橋脚と水域を仕切り、この仮締切り構造体内の水を排水して橋脚の周囲にドライエリアを形成するものである。
【０００４】
従来、この仮締切り工法を用いて橋脚の補修・補強工事を行う場合、陸地から目的の橋脚まで台船を設置し、この台船を介して目的の橋脚への行き来を行い、橋脚の周囲に作業足場を構築し、この作業足場を利用して仮締切り構造体の構築・設置を行っている。
【発明の概要】
【発明が解決しようとする課題】
【０００５】
しかしながら、この台船は、多数の非常に大きなパーツを連結して形成するものであるため、現場までの輸送に多大な労力と費用を要し、更に、この台船を用いる場合は、設置水域にある程度の深さが必要であるため、水深が浅い水域では使用することができない問題があった。
【０００６】
本発明は、このような現状の問題に鑑みなされたもので、台船を用いることなく、水域上に架設される橋梁の橋脚の周囲に作業足場を構築する足場構築工法を提供することを目的とする。
【課題を解決するための手段】
【０００７】
添付図面を参照して本発明の要旨を説明する。
【０００８】
水域上に架設される橋梁の橋脚１の周囲に作業足場４を構築する足場構築工法において、前記橋梁の一側の陸地若しくは前記陸地に設けられる搬入部９から前記橋脚１に向かう搬入路８を前記橋梁に吊設形成し、この搬入路８に連設させて前記作業足場４を前記橋梁に吊設形成し、この作業足場４は、複数の折り畳み分解式足場形成枠体10を連設して形成する構成とされ、この折り畳み分解式足場形成枠体10は、複数の梁部材11、この梁部材11の端部が水平回動自在且つ着脱自在に連結される梁連結部材12及び前記梁部材11の回動軸となると共にこの梁部材11と前記梁連結部材12との連結を保持する連結保持軸13を備え、前記梁部材11の端部に設けられている軸挿通孔14と、前記梁連結部材12に設けられている軸挿通孔15とを連通状態にして軸挿通連通孔を形成し、この軸挿通連通孔に前記連結保持軸13を挿入配設することで組み立て形成することができ、この組み立て形成された状態で前記軸挿通連通孔に挿通配設されている前記連結保持軸13を抜き取ることで前記梁連結部材12から前記梁部材11を分離して撤去することができるように構成されていることを特徴とする足場構築工法に係るものである。
【０００９】
また、前記搬入路８は、前記橋梁の橋桁６に吊設することを特徴とする請求項１記載の足場構築工法に係るものである。
【００１０】
また、前記搬入路８は、複数の前記折り畳み分解式足場形成枠体10を連設して形成することを特徴とする請求項１，２のいずれか１項に記載の足場構築工法に係るものである。
【００１１】
また、前記搬入路８の端部に、前記梁部材11と前記梁連結部材12と前記連結保持軸13により折り畳み状態にした折り畳み分解式足場形成枠体10を組み付け形成し、この折り畳み状態で組み付け形成した折り畳み分解式足場形成枠体10を水平回動操作して展開状態にし、この展開状態の折り畳み分解式足場形成枠体10に足場板16を敷設して足場形成部２を形成すると共に、前記折り畳み分解式足場形成枠体10に更に前記梁部材11と前記梁連結部材12と前記連結保持軸13により折り畳み状態にした折り畳み分解式足場形成枠体10を組み付け形成し、この折り畳み状態で組み付け形成した折り畳み分解式足場形成枠体10を水平回動操作して展開状態にし、この展開状態の折り畳み分解式足場形成枠体10に足場板16を敷設して足場形成部２を形成して、前記足場形成部２で形成される足場形成域を順次拡張形成して前記作業足場４を形成することを特徴とする請求項１〜３のいずれか１項に記載の足場構築工法に係るものである。
【００１２】
また、前記折り畳み分解式足場形成枠体10に足場板16を敷設して形成した足場形成部２に、更に前記梁部材11と前記梁連結部材12と前記連結保持軸13により折り畳み状態にした折り畳み分解式足場形成枠体10を組み付け形成し、この折り畳み状態で組み付け形成した折り畳み分解式足場形成枠体10を水平回動操作して展開状態にし、この展開状態の折り畳み分解式足場形成枠体10に足場板16を敷設して足場形成部２を形成して、前記足場形成部２で形成される足場形成域を順次拡張形成して前記搬入路８を形成することを特徴とする請求項１〜４のいずれか１項に記載の足場構築工法に係るものである。
【発明の効果】
【００１３】
本発明は上述のようにするから、台船を用いることなく、水域上に架設される橋梁の橋脚の周囲に作業足場を構築することができ、これにより、台船を現場まで輸送する際に発生する多大な労力と費用を削減することができるので、例えば、仮締切り工法を用いて橋脚の補修・補強工事を行う場合、簡易に且つコスト安に橋脚の補修・補強工事を行うことができる。
【００１４】
更に、本発明は、陸地と作業足場が搬入路を介して連設されているから、作業者は歩いて容易に作業足場まで行けるので、作業に必要な資材や部材を小パーツ化することで、これらを作業者自身が作業足場まで運搬することができるようになり、これにより、クレーン等の重機の使用が不要となり、更なるコスト低減を図ることができる。
【００１５】
しかも、本発明は、作業足場を形成する際に、組立・撤去が容易な折り畳み分解式足場形成枠体を連設して作業足場を形成するから、足場形成作業が簡易化され、これにより、作業性が向上して、工期の短縮化を図ることができる。
【図面の簡単な説明】
【００１６】
【図１】本実施例における本工法施工前状態を示す（ａ）説明図正断面図及び（ｂ）説明側面図である。
【図２】本実施例における本工法の施工手順（搬入路形成工程及び作業足場形成工程）を示す（ａ）説明図正断面図及び（ｂ）説明側面図である。
【図３】本実施例における本工法の施工手順（作業足場吊り替え工程）を示す（ａ）説明図正断面図及び（ｂ）説明側面図である。
【図４】本実施例における本工法の施工手順（作業足場吊り替え工程）を示す（ａ）説明図正断面図及び（ｂ）説明側面図である。
【図５】本実施例における本工法の施工手順（作業足場吊り替え工程）を示す（ａ）説明図正断面図及び（ｂ）説明側面図である。
【図６】本実施例における本工法の施工手順（作業足場吊り替え工程）を示す（ａ）説明図正断面図及び（ｂ）説明側面図である。
【図７】本実施例における本工法の施工手順（作業足場吊り替え工程）を示す（ａ）説明図正断面図及び（ｂ）説明側面図である。
【図８】本実施例における本工法の施工手順（仮締切り構造体構築・設置工程）を示す（ａ）説明図正断面図及び（ｂ）説明側面図である。
【図９】本実施例における本工法の施工手順（仮締切り構造体構築・設置工程）を示す（ａ）説明図正断面図及び（ｂ）説明側面図である。
【図１０】本実施例における本工法の施工手順（仮締切り構造体構築・設置工程）を示す（ａ）説明図正断面図及び（ｂ）説明側面図である。
【図１１】本実施例における本工法の施工手順（仮締切り構造体構築・設置工程）を示す（ａ）説明図正断面図及び（ｂ）説明側面図である。
【図１２】本実施例における本工法の施工手順（仮締切り構造体構築・設置工程）を示す（ａ）説明図正断面図及び（ｂ）説明側面図である。
【図１３】本実施例における本工法の施工手順（仮締切り構造体構築・設置工程）を示す（ａ）説明図正断面図及び（ｂ）説明側面図である。
【図１４】本実施例における本工法の施工手順（作業用ドライエリア形成工程）を示す（ａ）説明図正断面図及び（ｂ）説明側面図である。
【図１５】本実施例における吊り足場を示す説明分解斜視図である。
【図１６】本実施例における本工法の搬入路及び作業足場を形成する際の作業手順を示す説明図であり、（ａ）は折り畳み分解式足場形成枠体を折り畳み状態で組付けた状態を示す図、（ｂ）は折り畳み状態で組付けた折り畳み分解式足場形成枠体を展開操作した状態を示す図、（ｃ）は展開した折り畳み分解式足場形成枠体に足場板を敷設した状態を示す図である。
【図１７】本実施例の受替え梁を示す側面図である。
【図１８】本実施例の作業足場を示す説明平面図である。
【図１９】本実施例の作業足場に開口部を形成した状態を示す説明平面図である。
【発明を実施するための形態】
【００１７】
好適と考える本発明の実施形態を、図面に基づいて本発明の作用を示して簡単に説明する。
【００１８】
本発明は、河岸等の陸地から、若しくはこの陸地に設けられた搬入部９（例えば櫓状、階段状、スロープ状の足場等）から目的の橋脚１に向かって、橋梁の橋桁６に沿って搬入路８を吊設して延設形成すると共に、この搬入路８と連設する作業足場４を吊設形成するから、作業者は、陸地と作業足場４とを搬入路８を介して容易に行き来することができ、これにより、陸地と目的の橋脚１との間に設置する台船が不要になり、この台船を現場まで輸送する際に発生する多大な労力と費用を削減することができる。
【００１９】
従って、例えば、橋脚の補修・補強工事を行う際に本発明を用いて仮締切り工法を行えば、橋脚の補修・補強工事を、簡易に且つコスト安に行うことができる。
【００２０】
また、搬入路８を介して陸地と作業足場４を容易に行き来することができることで、例えば、作業に必要な資材や部材を小パーツ化することで、これらを作業者自身が持って作業足場４まで運べるので、クレーン等の重機の使用が不要となり、よりコストの低減が図れる。
【００２１】
また、本発明は、搬入路８に連設させて作業足場４を橋梁に吊設形成する際に、複数の梁部材11、この梁部材11の端部が水平回動自在且つ着脱自在に連結される梁連結部材12及び梁部材11の回動軸となると共にこの梁部材11と梁連結部材12との連結を保持する連結保持軸13を備え、梁部材11の端部に設けられている軸挿通孔14と、梁連結部材12に設けられている軸挿通孔15とを連通状態にして軸挿通連通孔を形成し、この軸挿通連通孔に連結保持軸13を挿入配設することで組み立て形成することができ、この組み立て形成された状態で軸挿通連通孔に挿通配設されている連結保持軸13を抜き取ることで梁連結部材12から梁部材11を分離して撤去することができるように構成される折り畳み分解式足場形成枠体10を複数連設して形成するから、作業足場の形成・撤去の作業が容易になり、作業性が向上して、工期の短縮化が図れ、これにより、よりコストの低減が図れる。
【実施例】
【００２２】
本発明の具体的な実施例について図面に基づいて説明する。
【００２３】
本実施例は、橋脚の補修・補強工事における仮締切り構造体を用いた作業用ドライエリアの形成工法に、本発明の足場構築工法を用いた場合である。
【００２４】
具体的には、本実施例は、水域上に架設される橋梁の工事対象の橋脚１の周囲に仮締切り構造体３を構築するための作業足場４を前記橋梁に吊設形成し、この作業足場４上に前記橋脚１を囲繞するように仮締切り構造体３を構築し、この構築した仮締切り構造体３を前記作業足場４に形成した開口部５を介して降下させて水域中に配置した後、前記仮締切り構造体３の底部の橋脚貫通孔と前記橋脚１との間を止水し、前記仮締切り構造体３内に入り込んだ水を排水して該仮締切り構造体３内に作業用ドライエリアを形成する橋脚補修・補強工事における仮締切り構造体を用いた作業用ドライエリアの形成工法（以下、本工法と称す。）に関するものである。
【００２５】
より具体的には、本工法には、搬入路形成工程、作業足場形成工程、作業足場吊り替え工程、仮締切り構造体構築・設置工程、作業用ドライエリア形成工程があり、先ず、最初に、搬入路形成工程及び作業足場形成工程にて、橋梁の一側の陸地若しくは陸地に設けられる搬入部９に連設する足場形成部２、具体的には吊り足場２を、橋梁の橋桁６に沿って工事対象の橋脚１まで延設し、この橋桁６に吊設された吊り足場２により搬入路８と、この搬入路８に連設する仮締切り構造体３を構築するための作業足場４を形成し、次いで、作業足場吊り替え工程にて、前記橋脚１に受替え梁７を設け、作業足場４を形成する吊り足場２を橋桁６から前記受替え梁７に吊り替え吊設し、次いで、仮締切り構造体構築・設置工程にて、この受替え梁７に吊り替え吊設した吊り足場２で形成される前記作業足場４上で仮締切り構造体３を構築した後、作業足場４に開口部５を形成し、この開口部５を介して仮締切り構造体３を降下させて水域中に配置し、最後の作業用ドライエリア形成工程にて、仮締切り構造体３の底部の橋脚貫通孔と橋脚１との間を止水し、仮締切り構造体３内に入り込んだ水を排水して、この仮締切り構造体３内に作業用のドライエリアを形成するものである。
【００２６】
以下、本工法の各工程について、施工手順に沿って具体的に説明する。
【００２７】
（１）搬入路形成工程
本工法における搬入路形成工程とは、橋梁の一側の陸地若しくは陸地に設けられる搬入部９と作業足場４とを結ぶ搬入路８（通路）を形成する工程である。尚、本実施例では、搬入部９を設置する場合について説明する。
【００２８】
具体的には、搬入路８の形成は、先ず、河川の一側の河岸に搬入部９（例えば櫓状、階段状、スロープ状の足場等）を設置し、この搬入部９に連設させて目的の橋脚１（工事対象の橋脚１）に向かう搬入路８の延設形成してゆく。
【００２９】
より具体的には、搬入路８は、橋梁の橋桁６に複数の吊り足場２を吊設して、この橋桁６に沿って搬入路８を延設形成してゆく。
【００３０】
また、本工法では、この搬入路８を形成する吊り足場２に、折り畳み自在且つ組み立て分解自在な折り畳み分解式足場形成枠体10と、この折り畳み分解式足場形成枠体10に敷設する足場板16とで形成される吊り足場２を用いる。
【００３１】
具体的には、この吊り足場２を形成する折り畳み分解式足場形成枠体10は、複数（例えば四本）の梁部材11、この梁部材11の端部が水平回動自在且つ着脱自在に連結される梁連結部材12及び梁部材11の回動軸となると共にこの梁部材11と梁連結部材12との連結を保持する連結保持軸13を備え、梁部材11の端部に設けられている軸挿通孔14と、梁連結部材12に設けられている軸挿通孔15とを連通状態にして軸挿通連通孔を形成し、この軸挿通連通孔に連結保持軸13を挿入配設することで組み立て形成することができ、この組み立て形成された状態で軸挿通連通孔に挿通配設されている連結保持軸13を抜き取ることで梁連結部材12から梁部材11を分離して撤去することができるように構成されていている。
【００３２】
即ち、本工法では、先ず、搬入部９を足場にしてこの搬入部９に、梁部材11と梁連結部材12と連結保持軸13により折り畳み状態にした折り畳み分解式足場形成枠体10を組み付け形成し、この折り畳み状態で組み付け形成した折り畳み分解式足場形成枠体10を水平回動操作して展開状態にし、この展開状態の折り畳み分解式足場形成枠体10に足場板16を敷設すると共にこの折り畳み分解式足場形成枠体10に橋桁６から吊下した吊設具17（例えば足場チェーン等）を連結して、搬入路８となる最初の吊り足場２を形成し、次いで、この最初の吊り足場２を足場にしてこの最初の吊り足場２を形成している折り畳み分解式足場形成枠体10に、更に梁部材11と梁連結部材12と連結保持軸13を用いて折り畳み状態の新たな折り畳み分解式足場形成枠体10を組み付け形成し、この折り畳み状態で組み付け形成した新たな折り畳み分解式足場形成枠体10を水平回動操作して展開状態にし、この展開状態の折り畳み分解式足場形成枠体10に足場板16を敷設すると共にこの折り畳み分解式足場形成枠体10に橋桁６から吊下した吊設具17を連結して最初の吊り足場２に連設される新たな吊り足場２を形成し、この新たな吊り足場２を連設する作業を繰り返して足場形成域を順次拡張形成して搬入路８を橋桁６に沿って延設形成してゆく。
【００３３】
尚、この吊り足場２を用いて搬入路８を延設形成してゆく際、図示するように、搬入路８の幅方向（搬入路８の延設方向と直交する方向）に複数の折り畳み分解式足場形成枠体10を折り畳み状態で連設形成することで、いずれか一つの折り畳み分解式足場形成枠体10を水平回動操作して展開状態にすることで、連設する他の折り畳み分解式足場形成枠体10を個別に展開操作することなく、この水平回動操作した折り畳み分解式足場形成枠体10の展開動作に連動して同時に展開状態にすることができ、より効率よく吊り足場２を形成してゆくことができる。
【００３４】
また、本工法では、吊り足場２同士が折り畳み分解式足場形成枠体10の一部を共有する連設構造になっているため、必ずしも全ての吊り足場２に吊設具17を連結して橋桁６から吊設した状態とする必要は無く、吊設する吊り足場２は適宜設定されるものとする。
【００３５】
（２）作業足場形成工程
本工法における作業足場形成工程とは、搬入路形成工程に次いで行われる工程で、この搬入路形成工程で形成した搬入路８に連設するようにして、工事対象の橋脚１の周囲に仮締切り構造体３を構築する際の足場となる作業足場４を形成する工程である。
【００３６】
具体的には、本工法の作業足場形成工程は、前述した搬入路形成工程に用いる足場形成部２と同じ足場形成部２、具体的には吊り足場２を用いて作業足場４を形成してゆく。
【００３７】
より具体的には、先に形成した搬入路８の端部、具体的には、搬入路８を形成している吊り足場２の折り畳み分解式足場形成枠体10の端部に、この搬入路８を足場にして、前述の作業足場形成工程での作業と同様、梁部材11と梁連結部材12と連結保持軸13により折り畳み状態の折り畳み分解式足場形成枠体10を組み付け形成し、この折り畳み状態で組み付け形成した折り畳み分解式足場形成枠体10を水平回動操作して展開状態にし、この展開状態の折り畳み分解式足場形成枠体10に足場板16を敷設すると共にこの折り畳み分解式足場形成枠体10に橋桁６から吊下した吊設具17を連結して、作業足場４となる最初の吊り足場２を形成し、次いで、この最初の吊り足場２を足場にしてこの最初の吊り足場２を形成している折り畳み分解式足場形成枠体10に、更に梁部材11と梁連結部材12と連結保持軸13を用いて折り畳み状態の新たな折り畳み分解式足場形成枠体10を組み付け形成し、この折り畳み状態で組み付け形成した新たな折り畳み分解式足場形成枠体10を水平回動操作して展開状態にし、この展開状態の折り畳み分解式足場形成枠体10に足場板16を敷設すると共にこの折り畳み分解式足場形成枠体10に橋桁６から吊下した吊設具17を連結して最初の吊り足場２に連設される新たな吊り足場２を形成し、この新たな吊り足場２を連設する作業を繰り返して足場形成域を順次拡張形成して作業足場４を形成してゆく。
【００３８】
尚、この作業足場形成工程においても、搬入路形成工程と同様、複数の折り畳み分解式足場形成枠体10を折り畳み状態で連設形成して、いずれか一つの折り畳み分解式足場形成枠体10を水平回動操作して、効率良く作業足場４を形成してゆくことが好ましい。
【００３９】
また、この本工法の作業足場形成工程では、後の作業足場吊り替え工程において、この作業足場４を上方に吊り上げ移動させる作業があるため、吊設具17として昇降機能を有するチェーンブロックを用いる。
【００４０】
また、本工法で形成される作業足場４は、搬入路８と同様、吊り足場２同士が折り畳み分解式足場形成枠体10の一部を共有する連設構造になっているため、必ずしも全ての吊り足場２に吊設具を連結して橋桁６から吊設した状態とする必要は無く、吊設する吊り足場２は適宜設定されるものとする。
【００４１】
（３）作業足場吊り替え工程
本工法における作業足場吊り替え工程とは、前述した作業足場形成工程に次いで行われる工程で、この作業足場形成工程において橋桁６に吊設形成した作業足場４を、橋脚１に設置した受替え梁７に吊り替える工程である。
【００４２】
具体的には、作業足場吊り替え工程では、搬入路８を介して受替え梁形成部材７Ａ（受替え梁７を分解状態にしたもの）を作業足場４に搬入した後、作業足場４の一部若しくは全体を上昇させ、この上昇させた作業足場４を利用して、受替え梁形成部材７Ａを用いて受替え梁７を工事対象の橋脚１に設け、この橋脚１に設けた受替え梁７に作業足場４を形成する吊り足場２を吊り替え吊設する作業を行う。
【００４３】
より具体的には、本工法では、先ず、工事対象の橋脚１に受替え梁７（本工法ではトラス梁を採用）を設置ため、先に形成した搬入路８を介して作業者が受替え梁７を形成するための受替え梁形成部材７Ａを作業足場４まで運搬し、次いで、上昇させる作業足場４と、搬入路８や周囲の作業足場４（上昇させない作業足場４）との連設状態を解除し（切り離し操作し）、受替え梁形成部材７Ａと作業者を乗せた状態で吊設具17（チェーンブロック）を操作し作業足場４を橋脚１の上部付近まで上昇させ、この上昇させた作業足場４を足場にして受替え梁形成部材７Ａを組み立てて橋脚１上に受替え梁７を設置（載置固定）する。
【００４４】
次いで、この橋脚１上に設置したトラス梁からなる受替え梁７に吊設具17（チェーンブロック）を取り付け、この受替え梁７に取り付けた吊設具17を作業足場４（作業足場４を形成している吊り足場２）に連結した後、橋桁６に取り付けられている吊設具17と作業足場４との連結を解除し、作業足場４を橋桁６から受替え梁７に吊り替える。
【００４５】
吊り替えが完了したら、吊設具17を操作して作業足場４を元の高さ位置（搬入路８或いは他の作業足場４と同じ高さ位置）まで降下させて、この降下させた作業足場４と搬入路８或いは周囲の作業足場４と再び連設状態にする。
【００４６】
この作業足場４を橋桁６から受替え梁７に吊り替えることにより、作業足場４上に重量がある仮締切り構造体３を構築しても、橋桁６に負荷がかからないので、加重により橋梁や橋桁６に悪影響を及ぼすおそれがなくなり、安心して作業足場４上で仮締切り構造体３を構築することができる。
【００４７】
（４）仮締切り構造体構築・設置工程
本工法における仮締切り構造体構築・設置工程とは、前述した作業足場吊り替え工程に次いで行われる工程で、この作業足場吊り替え工程において橋桁６から橋脚１上に設置した受替え梁７に吊り替え吊設した作業足場４上で、仮締切り構造体３を構築し、この構築した仮締切り構造体３を水域中に設置する工程である。尚、本実施例では、高さが高い仮締切り構造体３を構築、設置する場合について説明する。
【００４８】
本実施例のように、高さが高い仮締切り構造体３を構築する場合は、仮締切り構造体３を上下に分割して構築・設置する。
【００４９】
具体的には、先ず、仮締切り構造体３の下部側（以下、下部側仮締切り構造体３Ａと称す。）を構築し、先にこの構築した下部側仮締切り構造体３Ａを水域中に設置し、その後、仮締切り構造体３の上部側（以下、上部側仮締切り構造体３Ｂと称す。）を構築し、この構築した上部側仮締切り構造体３Ｂを、先に水域中に設置した下部側仮締切り構造体３Ａ上に載置し連結して仮締切り構造体３を構築、設置する。
【００５０】
より具体的に説明すると、本工法では、先ず、下部側仮締切り構造体３Ａを構築するため、予め作業者が手で持って運搬することができる程度の大きさに形成された下部側仮締切り構造体３Ａを形成するための底板形成部材や周壁形成部材（ライナープレート）等の下部側用の仮締切り構造体形成部材を、陸地から搬入路８を介して作業足場４まで作業者が持ち運び搬入する。このように搬入を全て人力で行うことでコストを削減することができる。
【００５１】
次いで、この作業足場４に搬入した下部側用の仮締切り構造体形成部材を、作業足場４上で組み立てて下部側仮締切り構造体３Ａを構築する。
【００５２】
具体的には、先ず、作業足場４上に、工事対象の橋脚１を囲繞するように平面視リング状の底板部を形成し、この底板部の外周縁部に沿って所定高さの周壁部を立設形成して、有底筒状の下部側仮締切り構造体３Ａを構築する。
【００５３】
次いで、工事対象の橋脚１に昇降装置18（例えば本工法では平衡保持用天秤とチェーンブロックで構成される昇降装置）を設け、この昇降装置18と構築した下部側仮締切り構造体３Ａとを連結し、昇降装置18によりこの下部側仮締切り構造体３Ａを上昇させ、作業足場４に対して浮上状態にする。尚、本実施例では、この下部側仮締切り構造体３Ａ（上部側仮締切り構造体３Ｂ）を昇降操作する昇降装置18を橋脚１に設けているが、橋脚１上に設置した受替え梁７に設けても良い。
【００５４】
次いで、作業足場４に下部側仮締切り構造体３Ａが通過可能な大きさの開口部５を形成する。
【００５５】
具体的には、開口部５は、吊り上げ状態の下部側仮締切り構造体３Ａの真下に、作業足場４（具体的には、作業足場４を形成している吊り足場２）を撤去して形成する。
【００５６】
より具体的には、先ず、開口部形成領域（吊り足場撤去領域）の中心部に位置する吊り足場２の足場板16を取り外して折り畳み分解式足場形成枠体10を露出させ、折り畳み分解式足場形成枠体10を足場側に引き寄せて折り畳み状態にし、この折り畳み状態にした折り畳み分解式足場形成枠体10の軸挿通孔15に挿通配設されている連結保持軸13を抜き取り、梁連結部材12から梁部材11を取り外し撤去し、次いで、この撤去した吊り足場２に連設している吊り足場２を同様の手順で撤去する。即ち、本工法では、中心部側（橋脚１に近い側）から外側に向かって順次吊り足場２を撤去して開口部を広げてゆき、下部側仮締切り構造体３Ａが通過可能な開口部５を形成してゆく。
【００５７】
次いで、昇降装置18を操作して、この作業足場４に形成した開口部５を介して、先に下部側仮締切り構造体３Ａを水域中に設置する。尚、図示しないが、この下部側仮締切り構造体３Ａを降下する際、橋脚１と下部側仮締切り構造体３Ａの夫々にガイドレールを設けて、このガイドレールに沿って降下させることで、下部側仮締切り構造体３Ａを真っ直ぐに安定した状態で水域中に降下させることができる。
【００５８】
このようにして下部側仮締切り構造体３Ａの設置が完了したら、上部側仮締切り構造体３Ｂを構築するため、作業足場４に形成した開口部５を一度閉口して、下部側仮締切り構造体３Ａを構築する際と同様に、予め作業者が手で持って運搬することができる程度の大きさに形成された上部側用の仮締切り構造体形成部材を、陸地から搬入路８を介して作業足場４まで搬入する。
【００５９】
次いで、この作業足場４に搬入した上部側用の仮締切り構造体形成部材を、作業足場４上で組み立てて上部側仮締切り構造体３Ｂを構築する。
【００６０】
具体的には、下部側仮締切り構造体３Ａの周壁部を立設形成した際と同様の作業を行い、筒状の上部側仮締切り構造体３Ｂを構築する。
【００６１】
以降、下部側仮締切り構造体３Ａを設置する場合と同様、この上部側仮締切り構造体３Ｂを昇降装置18に連結し、この昇降装置18により作業足場４に対して浮上状態にした後、作業足場４に開口部５を形成し、この開口部５を介して上部側仮締切り構造体３Ｂを降下させて、先に水域中に設置した下部側仮締切り構造体３Ａ上に載置し連結して仮締切り構造体３を完成させた後、仮締切り構造体３の上縁部に浮上防止用部材19を配して、この仮締切り構造体３の浮上を防止する。
【００６２】
（５）作業用ドライエリア形成工程
本工法における作業用ドライエリア形成工程とは、前述した仮締切り構造体構築・設置工程に次いで行われる本工法の最終工程で、この仮締切り構造体構築・設置工程において水域中に設置した仮締切り構造体３の底部の橋脚貫通孔と橋脚１との間に形成される隙間に対して止水処理を施すと共に、仮締切り構造体３内に入り込んだ水を排水して、この仮締切り構造体３内に作業用のドライエリア（非水域エリア）を形成する工程である。
【００６３】
具体的には、本工法では、先ず、止水シートやゴム製の止水チューブ等の止水手段（図示しない）を、仮締切り構造体３の底部の橋脚貫通孔と橋脚１との間に形成される隙間に配設し閉塞状態にして、この隙間からの入水を防止する止水処理を行う。
【００６４】
次いで、この止水処理完了後に、仮締切り構造体３内に入り込んだ水をポンプ等の排水装置20を用いて排水して、この仮締切り構造体３内に作業用ドライエリアを形成する。
【００６５】
以上のように行われる本工法の作用効果について以下に説明する。
【００６６】
本工法は、搬入路形成工程において、陸地と作業足場４とを結ぶ搬入路８を形成するから、作業者がこの搬入路８を利用して陸地から作業足場４に行くことができるため、従来使用していた台船が不要になり、この台船を現場まで輸送する際に発生する多大な労力と費用を削減することができる。
【００６７】
また、本工法は、搬入路８及び作業足場４を形成する足場形成部２（吊り足場２）に、折り畳み分解式足場形成枠体10を備える足場形成部２（吊り足場２）を用いるから、搬入路８及び作業足場４の形成、撤去する作業、並びに作業足場４に仮締切り構造体３を降下させる際の開口部５を形成する作業が容易になり、しかも、これらの作業を梁等の危険な足場ではなく、きちんとした形成された足場上で行うことができるので安全に作業を行うことができる。
【００６８】
また、本工法では、仮締切り構造体３を構築する作業足場４を、橋桁６ではなく、橋脚１に設置した受替え梁７に吊設するから、作業足場４上で重量のある仮締切り構造体３を構築しても、橋桁６に負荷がかからないので、加重により橋梁や橋桁６に悪影響を及ぼすおそれがなく、安心して作業足場４上で仮締切り構造体３を構築することができる。
【００６９】
尚、本発明は、本実施例に限られるものではなく、各構成要件の具体的構成は適宜設計し得るものである。
【符号の説明】
【００７０】
１  橋脚
２  足場形成部
４  作業足場
６  橋桁
８  搬入路
９  搬入部
10  折り畳み分解式足場形成枠体
11  梁部材
12  梁連結部材
13  連結保持軸
14  軸挿通孔
15  軸挿通孔
16  足場板
【図１】
2019143431.tif 000003
【図２】
2019143431.tif 000004
【図３】
2019143431.tif 000005
【図４】
2019143431.tif 000006
【図５】
2019143431.tif 000007
【図６】
2019143431.tif 000008
【図７】
2019143431.tif 000009
【図８】
2019143431.tif 000010
【図９】
2019143431.tif 000011
【図１０】
2019143431.tif 000012
【図１１】
2019143431.tif 000013
【図１２】
2019143431.tif 000014
【図１３】
2019143431.tif 000015
【図１４】
2019143431.tif 000016
【図１５】
2019143431.tif 000017
【図１６】
2019143431.tif 000018
【図１７】
2019143431.tif 000019
【図１８】
2019143431.tif 000020
【図１９】
2019143431.tif 000021